(57)【要約】【課題】原稿サイズセンサを増設することなく原稿のサイズ、位置および傾きを正確に検出してコストを低廉化しつつ加工手間をなくすとともに、原稿を位置合わせする煩わしい操作を不要にし、かつ原稿の傾きを矯正したデータを出力することができる原稿読み取り装置およびこれを用いた複写機を提供する。【解決手段】原稿台の内部に設けられ、原稿台上の画像を読み取る画像読み取り手段１４と、原稿読み取り面側に規則的な格子模様が記された原稿押さえ板１３と、原稿読み取り時に画像読み取り手段により読み取られた原稿台上の原稿および原稿押さえ板の原稿読み取り面側の格子模様を一括して画像データとして処理する画像処理手段１６と、画像処理手段で処理された画像データに基づいて原稿押さえ板の原稿読み取り面側の格子模様が原稿によって隠された原稿部分１９を認識し、原稿のサイズ、位置および傾きを検出する原稿検出手段１７とを備える。【選択図】図４
2005217509.tif 000002
【特許請求の範囲】
【請求項１】
原稿台の内部に設けられ、原稿台上の画像を読み取る画像読み取り手段と、
原稿台上に載置された原稿を押さえる原稿読み取り面側に模様が記された原稿押さえ板と、
原稿読み取り時に上記画像読み取り手段により読み取られた原稿台上の原稿および原稿押さえ板の原稿読み取り面側の模様を一括してデータとして処理する画像処理手段と、
この画像処理手段で処理されたデータに基づいて上記原稿押さえ板の原稿読み取り面側の模様が原稿によって隠された部分を認識し、原稿のサイズ、位置、および傾きを検出する原稿検出手段と
を備えていることを特徴とする原稿読み取り装置。
【請求項２】
上記請求項１に記載の原稿読み取り装置において、
画像読み取り手段は、原稿読み取り時に読み取られた原稿台上の原稿および原稿押さえ板の原稿読み取り面側の模様が一括して処理されたデータを展開して記憶する記憶部を備えていることを特徴とする原稿読み取り装置。
【請求項３】
上記請求項２に記載の原稿読み取り装置において、
原稿押さえ板の原稿読み取り面側の模様としては、規則的に繰り返される模様が適用されていることを特徴とする原稿読み取り装置。
【請求項４】
上記請求項３に記載の原稿読み取り装置において、
規則的に繰り返される模様のピッチは、識別される各原稿サイズ寸法の差の半分以下に設定されていることを特徴とする原稿読み取り装置。
【請求項５】
上記請求項３に記載の原稿読み取り装置において、
規則的に繰り返される模様のピッチは、原稿検出手段により検出された原稿の傾きを矯正したデータを出力する際にそのデータ上における原稿の傾きを許容誤差以内に収め得るような範囲に設定されていることを特徴とする原稿読み取り装置。
【請求項６】
上記請求項３に記載の原稿読み取り装置において、
規則的に繰り返される模様のピッチは、読み取り対象となる原稿の短辺長さの１／３以下に設定されていることを特徴とする原稿読み取り装置。
【請求項７】
上記請求項３に記載の原稿読み取り装置において、
規則的に繰り返される模様のピッチは、画像読み取り手段の光学的解像度の半分以下に設定されていることを特徴とする原稿読み取り装置。
【請求項８】
上記請求項１に記載の原稿読み取り装置において、
原稿押さえ板の原稿読み取り面側に形成された模様としては、一定範囲以上の面積で不規則となる模様が適用されており、
原稿検出手段は、画像処理手段により一括して処理されたデータに基づいて原稿押さえ板の原稿読み取り面側の模様が原稿によって隠された部分を直接検出し、原稿のサイズ、位置、および傾きを検出するようにしていることを特徴とする原稿読み取り装置。
【請求項９】
上記請求項１ないし請求項８のいずれか１つに記載の原稿読み取り装置において、
原稿検出手段により検出された原稿のサイズ、位置、および傾きを利用し、画像読み取り手段により読み取られた原稿のクリッピングおよび傾き補正を行い、適切なサイズの印刷用紙を選択する用紙選択手段を備えていることを特徴とする原稿読み取り装置。
【請求項１０】
上記請求項１ないし請求項８のいずれか１つに記載の原稿読み取り装置において、
原稿検出手段により検出された原稿のサイズ、位置、および傾きを利用し、画像読み取り手段により読み取られた原稿のクリッピングおよび傾き補正を行い、別途指定された印刷用紙に合わせて自動的にデータをスケーリングするスケーリング手段を備えていることを特徴とする原稿読み取り装置。
【請求項１１】
上記請求項１ないし請求項８のいずれか１つに記載の原稿読み取り装置において、
画像処理手段は、原稿台上に複数の原稿が載置されている状態での原稿読み取り時に画像読み取り手段により読み取られた原稿台上の複数の原稿をデータとして処理し、
原稿検出手段は、上記画像処理手段で処理されたデータに基づいて原稿押さえ板の原稿読み取り面側の模様が複数の原稿によって隠された部分をそれぞれ個別に認識し、個々の原稿のサイズ、位置、および傾きをそれぞれ検出するようにしていることを特徴とする原稿読み取り装置。
【請求項１２】
上記請求項１１に記載の原稿読み取り装置において、
原稿検出手段によりサイズ、位置、および傾きがそれぞれ検出された個々の原稿をレイアウトし、単数または複数のデータ、もしくは印刷出力として出力するレイアウト出力手段を備えていることを特徴とする原稿読み取り装置。
【請求項１３】
上記請求項１ないし請求項３のいずれか１つに記載の原稿読み取り装置において、
原稿押さえ板の原稿読み取り面側に形成された模様としては、通常読み取り対象となる原稿の地模様または地色に対し高いコントラストが得られ、かつ原稿と明確に区別される明度、彩度または色相となる模様が適用されていることを特徴とする原稿読み取り装置。
【請求項１４】
上記請求項１３に記載の原稿読み取り装置において、
原稿押さえ板の原稿読み取り面側に形成された模様は、通常の可視光領域では認識が困難または識別不能で、かつ原稿検出手段に設けられた光源の照明により識別可能とされていることを特徴とする原稿読み取り装置。
【請求項１５】
上記請求項１４に記載の原稿読み取り装置において、
原稿検出手段は、
通常の原稿読み取り用光源とは別途に設けられ、原稿押さえ板の原稿読み取り面側の模様を読み取り可能な模様読み取り用の赤外線光源と、
この赤外線光源から照射される赤外線に対応した感度特性を有する赤外線用画像センサと
を備えていることを特徴とする原稿読み取り装置。
【請求項１６】
上記請求項１４に記載の原稿読み取り装置において、
通常の原稿読み取り用光源とは別途に設けられ、原稿押さえ板の原稿読み取り面側の模様を読み取り可能な模様読み取り用の紫外線光源と、
この紫外線光源から照射される紫外線に対応した感度特性を有する紫外線用画像センサと
を備えていることを特徴とする原稿読み取り装置。
【請求項１７】
上記請求項１４ないし請求項１６のいずれか１つに記載の原稿読み取り装置において、
原稿台上の原稿と原稿押さえ板の原稿読み取り面側の模様とは、画像読み取り手段によるそれぞれ個別のプロセスで読み取られるようになっていることを特徴とする原稿読み取り装置。
【請求項１８】
上記請求項１４ないし請求項１６のいずれか１つに記載の原稿読み取り装置において、
原稿台上の原稿と原稿押さえ板の原稿読み取り面側の模様とは、画像読み取り手段による同時のプロセスで読み取られるようになっていることを特徴とする原稿読み取り装置。
【請求項１９】
上記請求項１ないし請求項１８のいずれか１つに記載の原稿読み取り装置を用いたことを特徴とする複写機。
【発明の詳細な説明】
【技術分野】
【０００１】
本発明は、原稿台上に載置した原稿のサイズ、位置および傾きを正確に検出し得るようにする原稿読み取り装置およびこれを用いた複写機に関する。
【背景技術】
【０００２】
従来、図９に示すように、複写機などに用いられる原稿読み取り装置ａは、原稿台ｂ上の原稿読み取りエリアｃに載置された原稿を上方から押さえる原稿押さえ板ｄを備え、原稿読み取りエリアｃの一角の原稿原点ｅに原稿がその隅を位置合わせしてセットされる。なお、原稿原点は、読み取りエリアｃのいずれかの角、もしくは読み取りエリアｃのいずれかの辺の中央に設定されていてもよい。
【０００３】
このような原稿読み取り装置ａは、図１０に示すように、原稿台ｂの内部に、ＣＣＤや密着センサなどで構成される画像読み取り手段ｆを備えている。この画像読み取り手段ｆは、駆動部ｇによって走査方向（図１０では左右方向）に移動可能に構成され、画像読み取り手段ａの走査によって原稿台ｂ上に載置した原稿が読み取られるようになっている。また、原稿台ｂの内部には、原稿台ｂ上に載置された原稿のサイズを検出する複数の第１ないし第５原稿サイズセンサｈ１〜ｈ５が設けられている。
【０００４】
上記原稿サイズセンサｈ１〜ｈ５としては、反射式の光学センサが適用され、一般的な原稿サイズに合わせて配置されている。そして、原稿が原稿台ｂ上にセット（載置）されると、その原稿のサイズに対応する第１ないし第５原稿サイズセンサｈ１〜ｈ５から信号が出力されて、原稿のサイズが検出されるようになっている。例えば、図１１に示すように、Ａ３横サイズの原稿ｉ１、Ａ４縦サイズの原稿ｉ２、およびＡ４横サイズの原稿ｉ３を認識する原稿読み取り装置の場合、第１原稿サイズセンサｈ１が原稿台ｂの原稿原点ｅからＡ４縦サイズの原稿ｉ２の短辺の長さより若干短い位置に、第２原稿サイズセンサｈ２がＡ４横サイズの原稿ｉ３の長辺の長さより若干短い位置に、第３原稿サイズセンサｈ３がＡ３横サイズの原稿ｉ１の長辺の長さより若干短い位置に、第４原稿サイズセンサｈ４がＡ４横サイズの原稿ｉ３の短辺の長さより若干短い位置に、第５原稿サイズセンサｈ５がＡ４縦サイズの原稿ｉ２の長辺の長さより若干短い位置にそれぞれ配置されている。
【０００５】
ここで、各原稿サイズセンサｈ１〜ｈ５上に原稿がある場合に当該原稿サイズセンサの出力が１になり、それ以外の場合（原稿サイズセンサ上に原稿がない場合）に原稿サイズセンサの出力が０になるとすると、原稿台ｂ上に載置された原稿のサイズは、各原稿サイズセンサｈ１〜ｈ５からの出力によって下記表１に示すように判定される。
【０００６】
【表１】
2005217509.tif 000003
また、この他の原稿サイズセンサを備えた原稿読み取り装置としては、原稿サイズセンサを原稿押さえ板側に設置したり（例えば、特許文献１参照）、原稿押さえ板側に設置した原稿サイズセンサとして赤外光反射式の光学センサを適用したものもある（例えば、特許文献２参照）。更に、ドキュメントフィーダを利用して、正確に原稿のサイズを測るようにしたものもある（例えば、特許文献３参照）。
【特許文献１】特開昭６１−１００７４１号公報
【特許文献２】特開昭６０−１６８１３５号公報
【特許文献３】特開昭５８−１５３９６４号公報
【発明の開示】
【発明が解決しようとする課題】
【０００７】
ところで、上記従来の原稿読み取り装置では、原稿のサイズおよび位置を正確に検出する上で、原稿を原稿台ｂ上の所定の位置、つまり原稿読み取りエリアｃの原稿原点ｅに位置合わせしてセットすることが前提となっている。その場合、原稿読み取りエリアのいずれかの角にある原稿原点に原稿の隅を合わせたり、読み取りエリアのいずれかの辺の中央にある原稿原点に原稿の一辺の中央を位置合わせしたりする必要があり、メーカや機種によって異なる原稿原点に原稿の隅や一辺の中央を位置合わせする操作が非常に煩わしく面倒であった。
【０００８】
また、袋綴じされた文書や書籍などの原稿を原稿台上に見開いたままの状態でセットすると、見開いた状態の原稿を原稿台の上に注意してセットしても、原稿押さえ板により押さえる前に原稿が動いてしまうことがあり、原稿が傾いた状態であるにも拘わらずそのまま読み取られることになる。その場合、原稿の傾きを検出することができれば、その原稿の傾きを矯正してデータを出力することも可能であるが、原稿の傾きを検出できない以上、データとして出力された際には原稿が傾いた状態のままで複写されることになる。
【０００９】
更に、原稿原点に正確に位置合わせして原稿をセットしなかったり、原稿のサイズが定型ではなく異形であると、原稿サイズセンサの位置との関係で、原稿のサイズの検出を誤るおそれがある。その場合、原稿サイズセンサを増設して対応することも考えられるが、コストが嵩む上、加工に手間を要し、有効な解決策にはなり得ない。
【００１０】
本発明は、かかる点に鑑みてなされたものであり、その目的とするところは、原稿サイズセンサを増設することなく原稿のサイズ、位置および傾きを正確に検出してコストを低廉化しつつ加工手間をなくすとともに、原稿を位置合わせする煩わしい操作を不要にし、かつ原稿の傾きを矯正したデータを出力することができる原稿読み取り装置およびこれを用いた複写機を提供することにある。
【課題を解決するための手段】
【００１１】
上記目的を達成するため、本発明では、原稿読み取り装置として、原稿台の内部に設けられ、原稿台上の画像を読み取る画像読み取り手段と、原稿台上に載置された原稿を押さえる原稿読み取り面側に模様が記された原稿押さえ板と、原稿読み取り時に上記画像読み取り手段により読み取られた原稿台上の原稿および原稿押さえ板の原稿読み取り面側の模様を一括してデータとして処理する画像処理手段と、この画像処理手段で処理されたデータに基づいて上記原稿押さえ板の原稿読み取り面側の模様が原稿によって隠された部分を認識し、原稿のサイズ、位置、および傾きを検出する原稿検出手段とを備えている。
【００１２】
この特定事項により、原稿台上に載置されて原稿押さえ板により原稿が押さえられると、原稿読み取り時に原稿台上の原稿および原稿押さえ板の原稿読み取り面側の模様が一括して画像読み取り手段により読み取られ、この読み取られた原稿および原稿押さえ板の原稿読み取り面側の模様が一括したデータとして処理され、この処理されたデータに基づいて原稿押さえ板の原稿読み取り面側の模様が原稿によって隠された部分を認識し、原稿のサイズ、位置、および傾きが検出されることになる。
【００１３】
また、原稿読み取り時に読み取られた原稿台上の原稿および原稿押さえ板の原稿読み取り面側の模様が一括して処理されたデータを展開して記憶する記憶部を画像読み取り手段に設けている場合には、記憶部に展開して記憶されたデータ（原稿および原稿押さえ板の原稿読み取り面側の模様を一括して処理したデータ）に基づいて原稿押さえ板の原稿読み取り面側の模様が原稿によって隠された部分を間違いなく認識し、原稿のサイズ、位置、および傾きが正確に検出されることになる。
【００１４】
これにより、原稿を原稿台上の所定の位置、つまり原稿読み取りエリアの原稿原点に位置合わせしてセットする必要がなく、メーカや機種によって異なる原稿読み取りエリアの原稿原点に原稿の隅や一辺の中央を位置合わせする非常に煩わしく面倒な操作を廃止することが可能となる。また、袋綴じされた文書や書籍などの原稿を原稿台上に見開いた状態のままでセットした際の原稿の傾きも検出されることによって、原稿の傾きを矯正したデータを複写機などに出力することが可能となる。更に、画像読み取り手段により読み取られたデータに基づいて原稿押さえ板の原稿読み取り面側の模様が原稿によって隠された部分を認識して原稿のサイズ、位置および傾きを検出することにより、定型・異形に拘わらず原稿のサイズが正確に検出されることになり、原稿サイズセンサの数を増やして対処する必要がなく、コストを抑えて加工手間を不要にすることが可能となる。
【００１５】
また、原稿押さえ板の原稿読み取り面側の模様として、規則的に繰り返される模様を適用している場合には、原稿押さえ板の原稿読み取り面側の模様が原稿によって隠されている部分が明確に認識され、原稿の各辺に対し各々最低２箇所以上で模様が隠されていれば、その点を延長して相互の交点を求めれば、原稿のサイズ、位置および傾きを容易に検出することが可能となる。
【００１６】
特に、規則的に繰り返される模様のピッチを特定するものとして、以下の構成が掲げられる。
【００１７】
まず、規則的に繰り返される模様のピッチを、識別される各原稿サイズ寸法の差の半分以下に設定している場合には、画像処理手段で処理されたデータに基づいて原稿押さえ板の原稿読み取り面側の模様が原稿によって隠された部分を原稿検出手段により認識する際に認識を誤ることが防止され、原稿のサイズ、位置、および傾きを円滑に検出することが可能となる。
【００１８】
また、規則的に繰り返される模様のピッチを、原稿検出手段により検出された原稿の傾きを矯正したデータを出力する際にそのデータ上における原稿の傾きを許容誤差以内に収め得るような範囲に設定している場合には、画像処理手段により一括して処理されたデータに基づいて検出された原稿の傾きを矯正してもなお残る原稿の微小な傾きが許容誤差以内に収められることになり、データとして複写機などに出力された際に原稿の微小な傾きが問題視されることなく複写される。
【００１９】
更に、規則的に繰り返される模様のピッチを、読み取り対象となる原稿の短辺長さの１／３以下に設定したり、画像読み取り手段の光学的解像度の半分以下に設定している場合には、原稿押さえ板の原稿読み取り面側の模様が原稿によって隠されている部分がより明確に認識され、原稿の各辺に対し各々最低２箇所以上で模様が隠されている可能性も高く、その点を延長して相互の交点を求めれば、原稿のサイズ、位置および傾きをより容易に検出することが可能となる。
【００２０】
これに対し、原稿押さえ板の原稿読み取り面側に形成された模様として一定範囲以上の面積で不規則となる模様を適用し、原稿検出手段を、画像処理手段により一括して処理されたデータに基づいて原稿押さえ板の原稿読み取り面側の模様が原稿によって隠された部分を直接認識し、原稿のサイズ、位置、および傾きを検出するようにしている場合には、原稿読み取り時に画像読み取り手段により読み取られた原稿台上の原稿および原稿押さえ板の原稿読み取り面側の模様を一括してデータとして処理した際に、その不規則な模様から、原稿台上における原稿の物理的位置がダイレクトに特定されることになり、原稿のサイズ、位置および傾きをより早く正確に検出することが可能となる。
【００２１】
そして、原稿検出手段により検出された原稿のサイズ、位置、および傾きを利用し、画像読み取り手段により読み取られた原稿のクリッピングおよび傾き補正を行い、適切なサイズの印刷用紙を選択する用紙選択手段を設けている場合には、原稿検出手段により検出された具体的な原稿のサイズが解っているので、たとえ原稿のサイズが異形であっても適切な出力サイズ・スケールを選択することが可能となる。
【００２２】
また、原稿検出手段により検出された原稿のサイズ、位置、および傾きを利用し、画像読み取り手段により読み取られた原稿のクリッピングおよび傾き補正を行い、別途指定された印刷用紙に合わせて自動的にデータをスケーリングするスケーリング手段を設けている場合には、原稿検出手段により検出された具体的な原稿のサイズが解っていることから、例え原稿のサイズが異形であっても適切な出力サイズ・スケールを印刷用紙に合わせて自動的に選択することが可能となる。
【００２３】
そして、原稿台上に複数の原稿が載置されている状態での原稿読み取り時に画像読み取り手段により読み取られた原稿台上の複数の原稿を画像処理手段によってデータとして処理し、原稿検出手段によって、上記画像処理手段で処理されたデータに基づいて原稿押さえ板の原稿読み取り面側の模様が複数の原稿によって隠された部分をそれぞれ個別に認識するとともに、個々の原稿のサイズ、位置、および傾きをそれぞれ検出するようにしている場合には、複数の原稿は、それぞれ個別にサイズ、位置および傾きが検出され、個別のデータとして切り離して出力することも可能となる。
【００２４】
また、原稿検出手段によりサイズ、位置、および傾きがそれぞれ検出された個々の原稿をレイアウトし、単数または複数のデータ、もしくは印刷出力として出力するレイアウト出力手段を設けている場合には、複数の原稿を任意のページ数、任意のサイズで出力することが可能となる。
【００２５】
特に、原稿押さえ板の原稿読み取り面側の模様を特定するものとして、以下の構成が掲げられる。
【００２６】
すなわち、原稿押さえ板の原稿読み取り面側に形成された模様として、通常読み取り対象となる原稿の地模様または地色に対し高いコントラストが得られ、かつ原稿と明確に区別される明度、彩度または色相となる模様を適用している。
【００２７】
この特定事項により、原稿台上の原稿と原稿押さえ板の原稿読み取り面側の模様とは、両者に高いコントラストが得られて互いに明確に区別され、原稿の位置および傾きをより正確に検出することが可能となる。
【００２８】
また、原稿押さえ板の原稿読み取り面側に形成された模様を、通常の可視光領域では認識が困難または識別不能で、かつ原稿検出手段に設けられた光源の照明により識別可能としている場合には、通常の可視光領域で識別し難い原稿押さえ板の原稿読み取り面側の模様を、光源の照明により確実に識別することが可能となる。
【００２９】
加えて、原稿検出手段に、通常の原稿読み取り用光源とは別途に設けられ、原稿押さえ板の原稿読み取り面側の模様を読み取り可能な模様読み取り用の赤外線光源または紫外線光源と、この赤外線光源または紫外線光源から照射される赤外線または紫外線に対応した感度特性を有する赤外線用画像センサまたは紫外線用画像センサとを備えている場合には、通常の可視光領域で識別し難い原稿押さえ板の原稿読み取り面側の模様を、赤外線光源または紫外線光源から照射される赤外線または紫外線に対応する赤外線用画像センサまたは紫外線用画像センサによって確実に読み取って識別することが可能となる。
【００３０】
そして、原稿台上の原稿と原稿押さえ板の原稿読み取り面側の模様とを、画像読み取り手段によるそれぞれ異なるプロセスで個別に読み取るようにしている場合には、原稿台上の原稿と原稿押さえ板の原稿読み取り面側の模様とがそれぞれ異なるプロセスで個別に読み取られ、原稿と模様との識別を２パスで処理することが可能となる。
【００３１】
これに対し、原稿台上の原稿と原稿押さえ板の原稿読み取り面側の模様とを、画像読み取り手段による同じプロセスで同時に読み取るようにしている場合には、原稿台上の原稿と原稿押さえ板の原稿読み取り面側の模様とが同じプロセスで同時に読み取られ、原稿と模様との識別が１パスで処理され、原稿と模様との識別時間を短縮することが可能となる。
【００３２】
更に、上述した原稿読み取り装置を複写機に用いた場合には、定型・異形に拘わらず原稿のサイズ、位置および傾きを検出し得、原稿を位置合わせする煩わしく面倒な操作を行うことなく原稿の傾きを矯正したデータの入力可能な複写機を提供することが可能となる。
【発明の効果】
【００３３】
以上、要するに、原稿読み取り時に原稿台上の原稿および原稿押さえ板の原稿読み取り面側の模様を一括して画像読み取り手段により読み取り、この読み取った原稿および原稿押さえ板の原稿読み取り面側の模様を一括したデータとして処理したり、また、原稿台上の原稿および原稿押さえ板の原稿読み取り面側の模様を一括して処理したデータを展開して記憶部に記憶したりし、この処理または記憶したデータに基づいて原稿により隠した模様の欠落部分を認識させて、原稿のサイズ、位置、および傾きを検出することで、原稿台上の所定の位置に原稿を位置合わせする非常に煩わしく面倒な操作を廃止することができる。しかも、袋綴じした文書や書籍などの原稿の傾きも検出して、原稿の傾きを矯正したデータを複写機などに出力することができる。更に、定型・異形に拘わらず原稿のサイズを正確に検出し、原稿サイズセンサの増設によるコストアップを抑えて加工手間を不要にすることもできる。
【００３４】
また、原稿押さえ板の原稿読み取り面側の模様として規則的に繰り返す模様を適用することで、原稿によって隠された模様の欠落部分を明確に認識させ、原稿のサイズ、位置および傾きを容易に検出することができる。
【００３５】
そして、各原稿サイズ寸法の差の半分以下に規則的な模様のピッチを設定することで、原稿によって隠した模様の欠落部分を認識する際の誤認識を防止し、原稿のサイズ、位置および傾きを円滑に検出することができる。
【００３６】
また、原稿の傾きを矯正したデータを出力する際にそのデータ上における原稿の傾きを許容誤差以内に収め得るような範囲に規則的な模様のピッチを設定することで、原稿の傾きを矯正してもなお残る原稿の微小な傾きを許容誤差以内に収めて、データとして複写機などに出力した際の原稿の微小な傾きを問題視させずに複写させることができる。
【００３７】
そして、読み取り対象となる原稿の短辺長さの１／３以下に規則的な模様のピッチを設定したり、画像読み取り手段の光学的解像度の半分以下に規則的な模様のピッチを設定することで、原稿によって隠した模様の欠落部分をより明確に認識させ、原稿のサイズ、位置および傾きをより容易に検出することができる。
【００３８】
また、原稿によって隠した不規則な模様の欠落部分を直接認識して、原稿のサイズ、位置、および傾きを検出することで、データ上の不規則な模様から原稿台上における原稿の物理的位置をダイレクトに特定し、原稿のサイズ、位置および傾きをより早く正確に検出することができる。
【００３９】
そして、原稿のサイズ、位置および傾きを利用して原稿のクリッピングおよび傾き補正を行い、適切なサイズの印刷用紙を選択することで、原稿のサイズが異形であっても適切な出力サイズ・スケールを選択することができる。
【００４０】
また、原稿のサイズ、位置および傾きを利用して原稿のクリッピングおよび傾き補正を行い、印刷用紙に合わせて自動的にデータをスケーリングすることで、原稿のサイズが異形であっても適切な出力サイズ・スケールを印刷用紙に合わせて自動的に選択することができる。
【００４１】
そして、原稿台上の複数の原稿をデータとして処理し、処理したデータに基づいて複数の原稿によって隠した模様の欠落部分をそれぞれ個別に認識するとともに、個々の原稿のサイズ、位置、および傾きをそれぞれ検出することで、複数の原稿のサイズ、位置および傾きをそれぞれ個別に検出し、個別のデータとして切り離して出力することもできる。
【００４２】
また、サイズ、位置および傾きをそれぞれ検出した個々の原稿をレイアウトし、単数または複数のデータ、もしくは印刷出力として出力することで、複数の原稿を任意のページ数、任意のサイズで出力することができる。
【００４３】
特に、原稿の地模様または地色に対し高いコントラストを得、かつ原稿と明確に区別される明度、彩度または色相となる模様、例えば通常の可視光領域では認識が困難または識別不能でかつ原稿検出手段の光源により識別可能となる模様を原稿押さえ板の原稿読み取り面側に形成することで、原稿と模様とを明確に区別し、原稿の位置および傾きをより正確に検出することができる。
【００４４】
そして、模様を読み取り可能な模様読み取り用の赤外線光源または紫外線光源と、この赤外線光源からの赤外線または紫外線光源からの紫外線に対応した感度特性を有する赤外線用画像センサまたは紫外線用画像センサとを設けることで、通常の可視光領域で識別し難い原稿押さえ板の原稿読み取り面側の模様を確実に読み取って識別することができる。
【００４５】
また、原稿と模様とを画像読み取り手段によるそれぞれ異なるプロセスで個別に読み取ることで、原稿と模様との識別を２パスで処理することができる。一方、原稿と模様とを画像読み取り手段による同じプロセスで同時に読み取ることで、原稿と模様との識別を１パスで処理でき、原稿と模様との識別時間を短縮することができる。
【００４６】
更に、このような原稿読み取り装置を複写機に用いることで、定型・異形に拘わらず原稿のサイズ、位置および傾きを検出し得、原稿を位置合わせする煩わしく面倒な操作を行うことなく原稿の傾きを矯正したデータの入力可能な複写機を提供することができる。
【発明を実施するための最良の形態】
【００４７】
以下、本発明を実施するための最良の形態を図面に基づいて説明する。
【００４８】
本形態では、複写機に本発明を適用した場合について説明する。
【実施例１】
【００４９】
図１および図２は、本発明の実施例に係わる原稿読み取り装置の概略構成を示す図である。
【００５０】
図１および図２において、原稿読み取り装置１は、原稿台１１上の原稿読み取りエリア１２に載置された原稿を上方から押さえる原稿押さえ板１３を備えている。上記原稿台１１の内部には、図示しないＣＣＤや密着センサなどで構成される画像読み取り手段１４が設けられている。この画像読み取り手段１４は、駆動部１５によって走査方向（図２では左右方向）に移動可能に構成され、画像読み取り手段１４の走査によって原稿台１１上に載置した原稿が読み取られるようになっている。この場合、原稿読み取り装置１は、複写機Ｘに対しハーネスＹを介して出力可能に接続されている。
【００５１】
そして、図３に示すように、上記原稿台１１上の原稿読み取りエリア１２と対向する原稿押さえ板１３の原稿読み取り面側（図２では下面側）には模様が記されている。この原稿押さえ板１３の原稿読み取り面側の模様としては、規則的に繰り返される格子模様が適用されている。また、図４に示すように、上記原稿読み取り装置１は、原稿読み取り時に上記画像読み取り手段１４により読み取られた原稿台１１上の原稿および原稿押さえ板１３の原稿読み取り面側の格子模様を一括して画像データとして処理する画像処理手段１６と、この画像処理手段１６で処理された画像データに基づいて上記原稿押さえ板１３の原稿読み取り面側の格子模様が原稿によって隠されている原稿部分１９（欠落部分）を認識し、その原稿部分１９（原稿）のサイズ、位置および傾きを検出する原稿検出手段１７とを備えている。そして、上記画像読み取り手段１４は、原稿読み取り時に読み取られた原稿台１１上の原稿および原稿押さえ板１３の原稿読み取り面側の格子模様が一括して処理された画像データを展開して記憶する記憶部１４ａを備えている。更に、原稿検出手段１７は、原稿押さえ板１３の原稿読み取り面側の格子模様が欠落している先端部分を認識することによって、原稿部分１９のエッジ部Ｒ（図５参照）を認識し、原稿部分１９（原稿）のサイズ、位置および傾きを算出する図形演算部１７ａを備えている。
【００５２】
また、上記原稿読み取り装置１は、原稿検出手段１７により検出された原稿のサイズ、位置、および傾きを利用し、画像読み取り手段１４により読み取られた原稿のクリッピングおよび傾き補正を行い、別途指定された印刷用紙に合わせて自動的にデータを最適な出力用紙サイズ、スケーリング、印刷濃度を設定するスケーリング手段１８を備えている。
【００５３】
そして、上記原稿押さえ板１３の原稿読み取り面側において規則的に繰り返される格子模様のピッチは、識別される各原稿サイズ寸法の差の半分以下で、かつ画像読み取り手段１４の光学的解像度の半分以下に設定されていることが好ましい。
【００５４】
この場合、格子模様のピッチは、任意に選べるが、格子模様を細かくすると、画像読み取り手段１４による画像の読み取り処理や原稿検出手段１７による図形の認識処理等に大きな負荷を生じ、記憶部１４ａの記憶容量も大きくする必要がある。一方、格子模様の間隔を広くすると、画像読み取り手段１４による画像の読み取り処理や原稿検出手段１７による図形の認識処理等の負荷は下がるが、原稿のサイズ、位置および傾きの検出精度が下がる。このため、一般には、原稿のサイズおよび位置の認識と傾きの許容範囲からこの値は決定される。例えば、異形サイズの原稿を適切な拡大縮小率で読み取るためには、１〜５ｍｍ程度の解像度が必要となる。但し、規則模様として、格子模様などのように連続模様を使う場合には、格子模様が原稿によって隠される場所が明確に認識できるため、原稿部分１９の各辺に対しおのおの最低２カ所以上で模様が隠されていれば、その点を延長し、相互の交点を求めることで、原稿のサイズ、位置および傾きを計算することができるので、画像読み取り手段１４の解像度が十分である限り、模様を細かくする必要は無く、原則として、原稿のサイズの短辺長の１／３程度まで規則的に繰り返される格子模様のピッチを拡げることが可能である。このことから、本実施例では、規則的に繰り返される模様として格子模様を用いた場合のピッチは、一般によく使われる原稿のサイズであるＡシリーズあるいはＢシリーズ、レギュラー、リーガル等に加え、名刺等の小型でよく使う原稿の読み込みを加味した結果、１０ｍｍに設定している。
【００５５】
ここで、原稿読み取り装置１による原稿の読み取り手順について説明する。
【００５６】
まず、原稿台１１の原稿読み取りエリア１２内における任意の位置および角度で原稿を載置し、その原稿台１１上の原稿を原稿押さえ板１３によって上方から押さえる。次いで、操作者が、原稿読み取りの操作を行うと画像読み取り手段１４は、原稿台１１の原稿読み取りエリア１２内全域を読み取り、原稿台１１上の原稿および原稿押さえ板１３の原稿読み取り面側の格子模様を一括して画像データとして処理する。このとき、図５に示すように、原稿読み取り時に画像読み取り手段１４により読み取られた原稿台１１上の原稿および原稿押さえ板１３の原稿読み取り面側の格子模様は、画像処理手段１６によって一括して処理されると、記憶部１４ａに展開して記憶される。この場合、原稿押さえ板１３の原稿読み取り面側の模様は、図３に示すような格子模様を採用しているので、図５に示すように、原稿押さえ板１３の原稿読み取り面側の格子模様が読み取られた部分Ｐと、実際の原稿部分１９とが、原稿押さえ板１３の原稿読み取り面側の格子模様が原稿によって隠された欠落部分によって明確に判明している。
【００５７】
その後、画像処理手段１６で処理されたデータに基づいて原稿押さえ板１３の原稿読み取り面側の格子模様が原稿によって隠された原稿部分１９（欠落部分）を認識し、原稿部分１９（原稿）のサイズ、位置および傾きを原稿検出手段１７により検出する。具体的には、原稿検出手段１７の図形演算装置１７ａによって、原稿押さえ板１３の原稿読み取り面側の格子模様が欠落している先端部分を認識して原稿部分１９のエッジ部Ｒを認識し、原稿部分１９（原稿）のサイズ、位置および傾きを算出する。
【００５８】
それから、原稿検出手段１７（図形演算装置１７ａ）により検出された原稿部分１９の画像データを切り出し、さらに、その原稿部分１９の領域内にて、その輝度分布や最も明るい部分、暗い部分等を解析し、原稿地模様・地色の処理など、出力イメージデータが適切なものとなるような色／輝度補正処理、原稿の傾きを矯正する処理を行い、画像読み取り手段１４の記憶部１４ａあるいは複写機Ｘに出力する。
【００５９】
そして、印刷動作においては、画像読み取り手段１４の記憶部１４ａから渡されたイメージデータと、それに付随する原稿の実サイズデータを基に、操作者の指示に基づいて、スケーリング手段１８により最適な出力用紙サイズ、スケーリング、印刷濃度を設定して、複写機Ｘに出力する。この場合、Ａ４サイズなどのような規格寸法ではなく、具体的な原稿のサイズが解っているので、たとえ原稿のサイズが異形であっても適切な出力サイズ・スケールが選択される。すなわち、原稿の縦横比固定で指定用紙サイズ一杯のサイズの印刷用紙、縦横比を固定せずに指定用紙サイズ一杯の印刷用紙、または実寸で最適サイズの印刷用紙などの印刷用紙選択が可能である。
【００６０】
したがって、上記実施例では、原稿台１１上の原稿読み取りエリア１２内における任意の位置および角度で載置されて原稿押さえ板１３により上方から原稿が押さえられると、原稿読み取り時に原稿台１１上の原稿および原稿押さえ板１３の原稿読み取り面側の格子模様が一括して画像読み取り手段１４により読み取られ、この読み取られた原稿および原稿押さえ板の原稿読み取り面側の格子模様が一括して処理された画像データを記憶部１４ａに展開して記憶し、この記憶部１４ａに展開して記憶された画像データ（原稿および原稿押さえ板の原稿読み取り面側の模様を一括して処理した画像データ）に基づいて原稿押さえ板１３の原稿読み取り面側の格子模様が原稿によって隠された欠落部分（原稿部分１９）を認識し、原稿部分（原稿）のサイズ、位置および傾きが正確に検出されることになる。
【００６１】
これにより、原稿を原稿台１１上の所定の位置、つまり原稿読み取りエリア１２の原稿原点に位置合わせしてセットする必要がなく、メーカや機種によって異なる原稿読み取りエリアの原稿原点に原稿の隅や一辺の中央を位置合わせする非常に煩わしく面倒な操作を廃止することができる。また、袋綴じされた文書や書籍などの原稿を原稿台１１上に見開いた状態のままでセットした際の原稿の傾きも検出されることによって、原稿の傾きを矯正したデータを複写機Ｘなどに出力することができる。更に、画像読み取り手段１４により読み取られた画像データに基づいて原稿押さえ板１３の原稿読み取り面側の格子模様が原稿によって隠された欠落部分（原稿部分１９）を認識して原稿のサイズ、位置および傾きを検出することにより、定型・異形に拘わらず原稿のサイズが正確に検出されることになり、原稿サイズセンサの数を増やして対処する必要がなく、コストを抑えて加工手間を不要にすることができる。
【００６２】
また、原稿押さえ板１３の原稿読み取り面側の模様として、規則的に繰り返される格子模様が適用されているので、原稿押さえ板１３の原稿読み取り面側の模様が原稿によって隠されている欠落部分（原稿部分１９）が明確に認識され、原稿のエッジ部分Ｒに対し各々最低２箇所以上で模様が隠されていれば、その点を延長して相互の交点を求めれば、原稿のサイズ、位置および傾きを容易に検出することができる。
【００６３】
そして、規則的に繰り返される格子模様のピッチが、識別される各原稿サイズ寸法の差の半分以下に設定されているので、画像処理手段１６で処理された画像データに基づいて原稿押さえ板１３の原稿読み取り面側の格子模様が原稿によって隠された原稿部分１９を原稿検出手段１７により認識する際にその認識を誤ることが防止され、原稿のサイズ、位置および傾きを円滑に検出することができる。また、規則的に繰り返される模様のピッチが、読み取り対象となる原稿の短辺長さの１／３以下に設定されている上、画像読み取り手段１４の光学的解像度の半分以下に設定されているので、原稿押さえ板１３の原稿読み取り面側の格子模様が原稿によって隠されている原稿部分１９がより明確に認識され、原稿の各辺に対し各々最低２箇所以上で模様が隠されている可能性も高く、その点を延長して相互の交点を求めれば、原稿のサイズ、位置および傾きをより容易に検出することができる。
【００６４】
更に、原稿検出手段１７により検出された原稿のサイズ、位置および傾きを利用し、画像読み取り手段１４により読み取られた原稿のクリッピングおよび傾き補正を行い、別途指定された印刷用紙に合わせて自動的にデータをスケーリングするスケーリング手段１８が設けられているので、原稿検出手段１７により検出された具体的な原稿のサイズが解っていることから、例え原稿のサイズが異形であっても適切な出力サイズ・スケールを印刷用紙に合わせて自動的に選択することができる。
【００６５】
なお、上記実施例１では、規則的に繰り返される模様として格子模様を採用したが、図６に示すように、原稿押さえ板２０の原稿読み取り面側の模様として、規則的に繰り返されるドット模様が適用されていてもよい。この場合、原稿の傾きについては、読み取ったイメージを画像処理して傾きを補正した後にもなお残る微少な傾きをどのくらい許容できるかが基準となり、たとえば補正後のイメージの１辺の下端を基準として上端が下端を通る垂直線から離れていても許容できる距離の１／２程度となる。この条件から、直接に傾きなどを計測する場合、０．５ｍｍ〜３ｍｍピッチ程度が適切と考えられるため、規則的に繰り返されるドット模様のピッチは１ｍｍに設定されている。このように、規則的に繰り返される格子模様のピッチが、原稿検出手段１７により検出された原稿の傾きを矯正した画像データを出力する際にその画像データ上における原稿の傾きを許容誤差以内に収め得るような範囲に設定（ドット模様のピッチを１ｍｍに設定）することで、画像処理手段１６により一括して処理された画像データに基づいて検出された原稿の傾きを矯正してもなお残る原稿の微小な傾きが許容誤差以内に収められることになり、画像データとして複写機などに出力された際に原稿の微小な傾きを問題視させずに複写することができることになる。
【実施例２】
【００６６】
次に、本発明の実施例２を図７に基づいて説明する。
【００６７】
この実施例では、原稿押さえ板の原稿読み取り面側において規則的に繰り返す模様を不規則なものに変更している。なお、原稿押さえ板の原稿読み取り面側の模様を除くその他の構成は、上記実施例１の場合と同じであり、同一部分については同じ符号を付して、その詳細な説明は省略する。
【００６８】
すなわち、本実施例では、図７に示すように、原稿台１１上の原稿読み取りエリア１２と対向する原稿押さえ板２１の原稿読み取り面側には、そのどこの一定面積以上の２カ所を比較しても同じパターンが現れないような不規則な模様が記されている。この模様は、一般には、画像読み取り手段１４の光学的解像度の５〜２０分の１程度のサイズを単位として、同じ模様がどこにも現れないようにしている。
【００６９】
この原稿押さえ板２１の原稿読み取り面側の模様の単位サイズは、上記実施例１の格子模様やドット模様のピッチと同じ意味を持ち、画像読み取り手段１４の光学的解像度の半分程度、例えば画像読み取り手段１４の光学的解像度が６００ｄｐｉであれば、２ドット×２ドット相当、つまり約８０μｍ角から原稿のサイズを区別できる程度の１０ｍｍ角程度まで可能であるが、実施例１の場合と同じ理由で、本実施例２では、画像読み取り手段１４の光学的解像度が、約１ｍｍ角の単位で同じ模様が現れないような模様にしている。
【００７０】
そして、画像処理手段１６は、原稿読み取り時に画像読み取り手段１４により読み取られた原稿台１１上の原稿および原稿押さえ板２１の原稿読み取り面側の不規則模様を一括してデータとして処理するように構成されている。原稿検出手段１７は、画像処理手段１６により一括して処理された画像データに基づいて原稿押さえ板２１の原稿読み取り面側の不規則模様が原稿によって隠された欠落部分（原稿部分２２）を直接検出し、原稿のサイズ、位置および傾きを検出するようにしている。
【００７１】
ここで、原稿読み取り装置１による原稿の読み取り手順について説明する。
【００７２】
まず、原稿台１１上の原稿読み取りエリア１２に載置された原稿を、不規則な模様を持つ原稿押さえ板２１により押さえて画像読み取り手段１４により読み取りを行うと、実施例１と同じように、原稿によって模様の一部が隠された欠落部分（原稿部分２２）の画像データが得られる。
【００７３】
次いで、画像処理手段１６によって、取り込まれた原稿押さえ板１３の原稿読み取り面側の不規則模様についての位置情報を認識し、これによって、原稿によって隠された模様の欠落部分（原稿部分２２）を認識し、原稿部分２２（原稿）のサイズ、位置および傾きを検出する。
【００７４】
したがって、上記実施例では、原稿読み取り時に画像読み取り手段１４により読み取られた原稿台１１上の原稿および原稿押さえ板２１の原稿読み取り面側の不規則模様を一括して画像データとして処理した際に、その不規則な模様から、原稿台１１上における原稿の物理的位置がダイレクトに特定されることになり、原稿のサイズ、位置および傾きをより早く正確に検出することができる。
【実施例３】
【００７５】
次に、本発明の実施例３を図８に基づいて説明する。
【００７６】
この実施例３では、原稿台上の原稿読み取りエリアに複数の原稿を載置した場合に読み取られた画像データの処理を変更している。
【００７７】
すなわち、本実施例では、原稿台１１上の原稿読み取りエリア１２の全域が画像読み取り手段１４により読み取られていることをさらに利用している。具体的には、原稿台１１上の原稿読み取りエリア１２に３つの原稿を自由な方向で自由な位置に載置して一括して読み取り、個々の原稿をそれぞれ個別に認識し、個別に画像データ化している。
【００７８】
そして、画像処理手段１６では、原稿台１１上の原稿読み取りエリア１２に３つの原稿が載置されている状態での原稿読み取り時に画像読み取り手段１４により読み取られた原稿台１１上の３つの原稿をそれぞれ個別の画像データとして処理している。また、原稿検出手段１７では、上記画像処理手段１６で個々に処理された画像データに基づいて原稿押さえ板１３の原稿読み取り面側の模様が３つの原稿によって隠された欠落部分（原稿部分３１〜３３）をそれぞれ個別に認識し、個々の原稿部分３１〜３３のサイズ、位置、および傾きをそれぞれ検出するようにしている。更に、上記原稿検出手段１７によりサイズ、位置および傾きがそれぞれ検出された個々の画像データを個別にレイアウトし、単数または複数のデータ、もしくは印刷出力として画像読み取り装置１４の記憶部１４ａまたは複写機Ｘに出力するレイアウト出力手段（図示せず）を備えている。この場合、レイアウト出力手段は、操作者の指示に基づいて行われる。
【００７９】
ここで、原稿読み取り装置１による原稿の読み取り手順について説明する。
【００８０】
まず、図８に示すように、原稿台１１上の原稿読み取りエリア１２に３つの原稿３１〜３３を載置し、画像読み取り手段１４により各原稿および原稿押さえ板１３の原稿読み取り面側の模様の読み取りを行う。このとき、実施例１および２で示した方法で、個々の原稿部分３１〜３３を認識し、イメージデータ化したものを図８に示している。
【００８１】
次に、原稿読み取り装置１による原稿の読み取り手順について説明する。
【００８２】
まず、原稿台１１上の原稿読み取りエリア１２に載置された３つの原稿を原稿押さえ板１３により押さえて画像読み取り手段１４により読み取りを行った後、実施例１と同じように、画像処理手段１６による画像処理を行うと、各原稿によって模様の一部がそれぞれ隠された欠落部分（原稿部分３１〜３３）の画像データが得られる。
【００８３】
次いで、画像処理手段１６によって、取り込まれた原稿押さえ板１３の原稿読み取り面側の模様についての位置情報を個々に認識し、これによって、各原稿によって隠された模様の欠落部分（原稿部分３１〜３３）を認識し、各原稿部分３１〜３３（各原稿）のサイズ、位置および傾きをそれぞれ検出する。
【００８４】
そして、原稿検出手段１７によりサイズ、位置および傾きがそれぞれ検出された個々の原稿部分３１〜３３を個別にレイアウトし、単数または複数の画像データ、もしくは印刷出力として画像読み取り装置１４の記憶部１４ａまたは複写機Ｘに出力する。
【００８５】
したがって、上記実施例では、３つの原稿は、それぞれ個別にサイズ、位置および傾きが検出され、個々の画像データとして切り離して出力することもできる。
【００８６】
また、レイアウト出力手段によって、原稿検出手段１７によりサイズ、位置および傾きがそれぞれ検出された個々の画像データを個別にレイアウトし、単数または複数のデータ、もしくは印刷出力として画像読み取り装置１４の記憶部１４ａまたは複写機Ｘに出力することができる。
【実施例４】
【００８７】
次に、本発明の実施例４について説明する。
【００８８】
この実施例４では、原稿押さえ板の原稿読み取り面側の模様を変更している。
【００８９】
すなわち、本実施例では、原稿押さえ板の原稿読み取り面側の模様として、通常読み取り対象となる原稿の地模様または地色に対し高いコントラストが得られ、かつ原稿と明確に区別される明度、彩度または色相となる模様を適用している。また、原稿押さえ板の原稿読み取り面側の模様は、通常の可視光領域では認識が困難または識別不能で、かつ原稿検出手段に設けられた光源の照明により識別可能とされている。具体的には、可視光領域では認識が困難または識別不能でかつ赤外線に対する反射率の高い白色のインクにより模様が形成されている。
【００９０】
そして、原稿検出手段は、通常の原稿読み取り用光源とは別途に設けられ、かつ原稿押さえ板の原稿読み取り面側の模様を読み取り可能な模様読み取り用の赤外線光源と、この赤外線光源から照射される赤外線に対応した感度特性を有する赤外線用画像センサとを備えている。この場合、原稿台上の原稿と原稿押さえ板の原稿読み取り面側の模様とは、画像読み取り手段によるそれぞれ個別のプロセスで読み取られるようになっている。
【００９１】
したがって、上記実施例では、通常読み取り対象となる原稿の地模様または地色に対し高いコントラストが得られ、かつ原稿と明確に区別される明度、彩度または色相となる模様が原稿押さえ板の原稿読み取り面側に形成されているので、原稿台上の原稿と原稿押さえ板の原稿読み取り面側の模様とは、両者に高いコントラストが得られて互いに明確に区別され、原稿の位置および傾きをより正確に検出することができる。しかも、原稿押さえ板の原稿読み取り面側に形成された模様が、通常の可視光領域では認識が困難または識別不能で、かつ原稿検出手段に設けられた光源の照明により識別されるので、通常の可視光領域で識別し難い原稿押さえ板の原稿読み取り面側の模様を、光源の照明により確実に識別することができる。
【００９２】
加えて、通常の原稿読み取り用光源とは別途に設けられ、原稿押さえ板の原稿読み取り面側の模様を読み取り可能な模様読み取り用の赤外線光源と、この赤外線光源から照射される赤外線に対応した感度特性を有する赤外線用画像センサとが原稿検出手段に設けられているので、通常の可視光領域で識別し難い原稿押さえ板の原稿読み取り面側の模様を、赤外線光源から照射された赤外線に対応する赤外線用画像センサによって確実に読み取って識別することができる。
【００９３】
更に、原稿台上の原稿と原稿押さえ板の原稿読み取り面側の模様とがそれぞれ異なるプロセスで個別に読み取られるので、原稿と模様との識別を２パスで処理することができる。
【００９４】
なお、本発明は、上記各実施例に限定されるものではなく、その他種々の変形例を包含している。例えば、上記各実施例では、原稿読み取り装置１に、原稿検出手段１７により検出された原稿のサイズ、位置、および傾きを利用して、画像読み取り手段１４により読み取られた原稿のクリッピングおよび傾き補正を行い、別途指定された印刷用紙に合わせて自動的にデータを最適な出力用紙サイズ、スケーリング、印刷濃度を設定するスケーリング手段１８を設けたが、原稿検出手段により検出された原稿のサイズ、位置、および傾きを利用し、画像読み取り手段により読み取られた原稿のクリッピングおよび傾き補正を行い、適切なサイズの印刷用紙を選択する用紙選択手段が原稿読み取り装置に設けられていてもよい。この場合には、原稿検出手段により検出された具体的な原稿のサイズが解っているので、たとえ原稿のサイズが異形であっても適切な出力サイズ・スケールを選択することができる。
【００９５】
また、上記実施例３では、３つの原稿を原稿台１１上の原稿読み取りエリア１２に載置した場合について述べたが、２つまたは４つ以上の原稿が原稿台上の原稿読み取りエリアに載置されていてもよいのはもちろんである。
【００９６】
そして、上記実施例４では、模様読み取り用の赤外線光源と赤外線用画像センサとを原稿検出手段に設けたが、通常の原稿読み取り用光源とは別途に原稿押さえ板の原稿読み取り面側の模様を読み取り可能な模様読み取り用の紫外線光源と、この紫外線光源から照射される紫外線に対応した感度特性を有する紫外線用画像センサとが原稿検出手段に設けられていてもよい。また、赤外線や紫外線に対応した感度特性を有する専用の画像センサを用いずに、光源からの特定波長の照明によって蛍光を発する模様を原稿押さえ板の原稿読み取り面側に形成し、この模様の読み取りが原稿読み取り用のセンサによって行われるようにしてもよい。
【００９７】
更に、上記実施例４では、原稿と模様とを画像読み取り手段によるそれぞれ個別のプロセスで読み取るようにしたが、原稿台上の原稿と原稿押さえ板の原稿読み取り面側の模様とが、画像読み取り手段による同じプロセスで同時に読み取られるようにしていてもよい。この場合には、原稿台上の原稿と原稿押さえ板の原稿読み取り面側の模様とが同じプロセスで同時に読み取られ、原稿と模様との識別が１パスで処理され、原稿と模様との識別時間を短縮することができることになる。
【図面の簡単な説明】
【００９８】
【図１】本発明の実施例１に係わる原稿読み取り装置全体の斜視図である。
【図２】同じく複写機に接続される原稿読み取り装置の概構成図である。
【図３】同じく原稿押さえ板を原稿読み取り面側から見た規則的な格子模様を示す図である。
【図４】同じく原稿読み取り装置の構成要件を示すブロック図である。
【図５】同じく画像処理手段で画像処理した際に原稿によって格子模様の一部が隠された部分の画像データを示す図である。
【図６】実施例１の変形例に係わる原稿押さえ板を原稿読み取り面側から見た規則的なドット模様を示す図である。
【図７】本発明の実施例２に係わる原稿押さえ板を原稿読み取り面側から見た不規則模様を示す図である。
【図８】本発明の実施例３に係わる画像処理手段で画像処理した際に各原稿によって格子模様の一部がそれぞれ隠された部分の画像データを示す図である。
【図９】従来例に係わる原稿読み取り装置全体の斜視図である。
【図１０】同じく原稿読み取り装置の概構成図である。
【図１１】同じく原稿サイズの判定を行う場合の原稿台上の原稿読み取りエリアでの原稿サイズセンサの配置状況を示す説明図である。
【符号の説明】
【００９９】
１      原稿読み取り装置
１１    原稿台
１３，２０，２１
原稿押さえ板
１４    画像読み取り手段
１４ａ  記憶部
１６    画像処理手段
１７    原稿検出手段
１８    スケーリング手段
１９，２２，３１〜３３
原稿部分（原稿押さえ板の原稿読み取り面側の模様が原稿によって隠された部分）
Ｘ      複写機
【図１】
2005217509.tif 000004
【図２】
2005217509.tif 000005
【図３】
2005217509.tif 000006
【図４】
2005217509.tif 000007
【図５】
2005217509.tif 000008
【図６】
2005217509.tif 000009
【図７】
2005217509.tif 000010
【図８】
2005217509.tif 000011
【図９】
2005217509.tif 000012
【図１０】
2005217509.tif 000013
【図１１】
2005217509.tif 000014